(57)【要約】【課題】水平ルーバーに対して容易に設置することができ、水平ルーバーの撓みを抑制することが可能な水平ルーバーの支持構造を提供することを目的とする。【解決手段】水平ルーバー６の長手方向の両端部を建具枠１０に対して固定し、水平ルーバー６の長手方向の中間部には、上下方向に延在して複数の水平ルーバー６を連結する連結材１１を取り付ける。連結材１１によって水平ルーバー６の中間部を支持することで、水平ルーバー６の撓みを抑制する。また、連結材１１の幅方向における一方の端部１１ａに、水平ルーバーが嵌められる切欠き部１２を設ける。これにより、連結材１１を差し込むだけで水平ルーバー６に容易に設置することができる。【選択図】図４
2015055463.tif 000002
【特許請求の範囲】
【請求項１】
建物の窓部の開口に対して上下方向に配列された複数の水平ルーバーを支持する構造であって、
前記複数の水平ルーバーの長手方向の両端部は枠体に対して固定され、
前記水平ルーバーの長手方向の中間部には、上下方向に延在して前記複数の水平ルーバーを連結する連結材が取り付けられ、
前記連結材には、前記複数の水平ルーバーをそれぞれ受容する複数の切欠き部が形成され、
前記複数の切欠き部に前記複数の水平ルーバーがそれぞれ嵌められて、前記連結材は前記複数の水平ルーバーを支持し、
前記連結材は前記枠体に対して固定されていることを特徴とする水平ルーバーの支持構造。
【請求項２】
前記水平ルーバーは板状を成し、横断面における幅方向において傾斜して配置され、
前記切欠き部の上側及び下側の縁は、前記水平ルーバーの傾斜に沿って延在し、
前記連結材は、前記水平ルーバーの傾斜に沿って差し込まれ、
前記切欠き部の上側の縁は、前記水平ルーバーの上面に当接し、
前記切欠き部の下側の縁は、前記水平ルーバーの下面に当接することを特徴とする請求項１に記載の水平ルーバーの支持構造。
【請求項３】
前記複数の水平ルーバーの下方には、前記複数の水平ルーバーよりも剛性が高い高剛性ルーバーが、前記水平ルーバーの長手方向に沿って配置され、
前記高剛性ルーバーの長手方向の両端部は、前記枠体に固定され、
前記連結材の下端部は前記高剛性ルーバーに支持されていることを特徴とする請求項１又は２に記載の水平ルーバーの支持構造。
【請求項４】
前記連結材は、板状を成し、前記複数の水平ルーバーと同一の素材によって形成され、
前記連結材の厚み方向が、前記水平ルーバーの長手方向に一致するように配置されていることを特徴とする請求項１〜３の何れか一項に記載の水平ルーバーの支持構造。
【請求項５】
前記複数の水平ルーバーは、上部側に配置された複数の第１の水平ルーバーと、前記複数の第１の水平ルーバーの下方に配置され前記第１の水平ルーバーと異なる断面形状の複数の第２の水平ルーバーとを有し、
前記連結材は、前記複数の第１及び第２のルーバーの横断面における幅方向の一端側をそれぞれ支持することを特徴とする請求項１に記載の水平ルーバーの支持構造。
【発明の詳細な説明】
【技術分野】
【０００１】
本発明は、長手方向の両端部が支持され上下方向に配列された複数の水平ルーバーを支持する支持構造に関する。
【背景技術】
【０００２】
例えば、換気を行うために建物の外壁に開口を設け、この開口に薄板状の複数の水平ルーバーを上下方向に配列した建物がある（例えば特許文献１参照）。この建物では、水平ルーバーの長手方向を水平方向に沿って配置し、水平ルーバーの幅方向において、室内側の端部を上方に、室外側の端部を下方に配置して、水平ルーバーを傾斜させている。このように水平ルーバーを幅方向において傾斜させることで、雨水の室内への侵入を抑制すると共に、水平ルーバー間の隙間を通じて空気を室内に流入させている。
【先行技術文献】
【特許文献】
【０００３】
【特許文献１】特開平１０−１４８０６９号公報
【発明の概要】
【発明が解決しようとする課題】
【０００４】
水平ルーバーを窓部の幅寸法に応じて長くした場合、水平ルーバーが撓むおそれがあった。水平ルーバーの撓みを防止するために、水平ルーバーの長さを短くして長手方向に複数に分割して設置すると、水平ルーバーを支持する枠体を窓部の幅方向に複数設置する必要があった。また、上下方向に延在し上枠から下枠まで達する桟材を設置した場合には、水平ルーバーによる水平方向のラインが幅広の桟材によって分断され、意匠性が低下するおそれがあった。また、窓部の幅方向において幅広の桟材を設置すると、空気が通過する開口領域が減少してしまい、通風性能が損なわれるおそれがある。また、既設の水平ルーバーに対して桟材を後設置することは、施工が煩雑であり困難であった。
【０００５】
そこで、水平ルーバーに対して容易に設置することができ、水平ルーバーの撓みを抑制することが可能な水平ルーバーの支持構造を提供することを目的とする。
【課題を解決するための手段】
【０００６】
本発明の水平ルーバーの支持構造は、建物の窓部の開口に対して上下方向に配列された複数の水平ルーバーを支持する構造であって、複数の水平ルーバーの長手方向の両端部は枠体に対して固定され、水平ルーバーの長手方向の中間部には、上下方向に延在して複数の水平ルーバーを連結する連結材が取り付けられ、連結材には、複数の水平ルーバーをそれぞれ受容する複数の切欠き部が形成され、複数の切欠き部に複数の水平ルーバーがそれぞれ嵌められて、連結材は複数の水平ルーバーを支持し、連結材は枠体に対して固定されていることを特徴としている。
【０００７】
この水平ルーバーの支持構造では、水平ルーバーの長手方向の両端部は枠体に対して固定され、水平ルーバーの長手方向の中間部には、上下方向に延在して複数の水平ルーバーを連結する連結材が取り付けられているので、複数の水平ルーバーの中間部を支持して水平ルーバーの撓みを抑制することができる。また、連結材には、複数の水平ルーバーをそれぞれ受容する複数の切欠き部が形成され、切欠き部に水平ルーバーがそれぞれ嵌められるので、水平ルーバーに対して連結材を容易に差し込むことができる。また、既存の水平ルーバーに対して容易に後設置することができる。
【０００８】
ここで、水平ルーバーは板状を成し、横断面における幅方向において傾斜して配置され、切欠き部の上側及び下側の縁は、水平ルーバーの傾斜に沿って延在し、連結材は、水平ルーバーの傾斜に沿って差し込まれ、切欠き部の上側の縁は、水平ルーバーの上面に当接し、切欠き部の下側の縁は、水平ルーバーの下面に当接する構成であることが好ましい。この構成では、切欠き部の上側及び下側の縁が水平ルーバーの傾斜に沿って延在しているので、連結材を複数の水平ルーバーに装着する際には、水平ルーバーの傾斜に沿って差し込むだけでよいので、容易に施工することができる。また、切欠き部の上側の縁が水平ルーバーの上面に当接し、切欠き部の下側の縁が水平ルーバーの下面に当接するので、連結材によって板状の水平ルーバーを確実に拘束し、水平ルーバーの中間部における撓みを抑制することができる。
【０００９】
また、複数の水平ルーバーの下方には、複数の水平ルーバーよりも剛性が高い高剛性ルーバーが、水平ルーバーの長手方向に沿って配置され、高剛性ルーバーの長手方向の両端部は、枠体に固定され、連結材の下端部は高剛性ルーバーに支持されている構成でもよい。この構成によれば、複数の水平ルーバーの中間部を支持する連結材の下端部を水平ルーバーの下方に配置された高剛性ルーバーによって支持することができる。
【００１０】
また、連結材は、板状を成し、複数の水平ルーバーと同一の素材によって形成され、連結材の厚み方向が、水平ルーバーの長手方向に一致するように配置されていることが好ましい。この構成によれば、複数の水平ルーバーと同一の素材の連結材が水平ルーバーに対して装着されるので、連結材を目立たないようにして水平ルーバーの意匠性が損なわれることが防止される。また、板状の水平ルーバーの厚み方向が、水平ルーバーの長手方向に沿って配置されるので、窓部に対して連結材が占める面積を抑制することができ、空気が通過できる面積の減少を抑えて通風性能の低下を防止することができる。従前のように上下方向に延在する幅広の桟材を設置した場合には、水平ルーバーによる水平ラインが幅広の桟材によって分断され、意匠性が低下していた。また、従前の幅広の桟材を設置した場合には、桟材によって空気が通過可能な面積が減少するので、通風性能の低下を招いていた。
【００１１】
また、複数の水平ルーバーは、上部側に配置された複数の第１の水平ルーバーと、複数の第１の水平ルーバーの下方に配置され第１の水平ルーバーと異なる断面形状の複数の第２の水平ルーバーとを有し、連結材は、複数の第１及び第２のルーバーの横断面における幅方向の一端側をそれぞれ支持する構成でもよい。この構成によれば、異なる断面形状の第１及び第２水平ルーバーの横断面における幅方向の一端側を支持し、第１及び第２水平ルーバーを上下方向に連結して支持することができ、複数の第１及び第２水平ルーバーの間隔を保ち一体として支持することができる。
【発明の効果】
【００１２】
本発明によれば、水平ルーバーに対して連結材を容易に施工することができ、水平ルーバーの長手方向の中間部における撓みを抑制することが可能な水平ルーバーの支持構造を提供することができる。
【図面の簡単な説明】
【００１３】
【図１】本発明の実施形態に係る水平ルーバーの支持構造が適用された建具を室内側から示す正面図である。
【図２】図１中の建具の上端部及び設置構造を示す断面図である。
【図３】図１中の建具の下端部及び設置構造を示す断面図である。
【図４】図１中の建具の水平ルーバー及び連結材を示す概略図である。
【図５】図４中の連結材の下端部を拡大して示す側面図である。
【図６】第１変形例に係る連結材を示す概略図である。
【図７】第２変形例に係る連結材を示す概略図である。
【発明を実施するための形態】
【００１４】
以下、図面を参照しつつ、本発明に係る水平ルーバーの支持構造が適用された建具の実施形態について詳細に説明する。
【００１５】
図１に示されるように、建物１の外周壁２には窓部３が設けられ、窓部３の開口を室内側から覆うように建具４が設置されている。建物１は、例えば３階建ての工業化住宅であり、各階の外周壁２の内側に、室内空間が形成されている。外周壁２は、壁の厚さ方向から見て、略矩形状に形成された例えば板状のＡＬＣ（軽量気泡コンクリート）等の防火性能を有する部材によって構成されている。建物１は鉄骨造の軸組架構を備え、外周壁２は軸組架構に対してＡＬＣが固定されることで構成されている。
【００１６】
外周壁２には、壁の厚み方向に貫通する矩形の開口部５が設けられ、開口部５に窓部３が設置されている。窓部３は、２枚引き違い形式の窓であり、開口部５の内縁に沿って配置された窓枠に、スライド自在の窓を２枚備えている。一方の窓を移動させて片側に寄せて窓部３を開放して、室内に空気を流入させることができる。図１は、室内側から窓部３を示すものであり、右側の窓が左側に寄せられて右半分に開口が形成され、窓部３は開放された状態となっている。図１に示す状態では、建具４は、窓部３の右半分の開口を覆うように配置されている。
【００１７】
建具４は、上下方向に配列された複数の第１水平ルーバー６及び第２水平ルーバー７を有するものであり、目隠し機能及び通風機能を備え、窓部３の室内側に配置されている。目隠し機能とは、外部の人からの視線を遮り、視認性を低下させる機能をいう。建具４を通して物体を見た場合に、物体の輪郭をぼかすことで物体を認識できないようにして視認性を低下させるものでもよい。建具４は、窓部３を開放した際の開口の大きさ以上であり、窓１枚分の大きさを有する。建具４は、上下方向に隣接する上部遮視部８及び下部遮視部９を備え、上部遮視部８には薄板状の第１水平ルーバー６が配置され（図２参照）、下部遮視部９にはへ字状（逆Ｖ字状）の第２水平ルーバー７（図３参照）が配置されている。
【００１８】
建具４は矩形の建具枠（枠体）１０を有し、建具枠１０は、上下方向に離間して平行に配置され窓部３の幅方向に延在する上端枠１０ａ及び下端枠１０ｂと、窓部３の幅方向に離間して平行に配置され上下方向に延在する一対の側端枠１０ｃ，１０ｃとを有する。上端枠１０ａの長手方向の両端部は、一対の側端枠１０ｃ，１０ｃの上端部に連結され、下端枠１０ｂの長手方向の両端部は、一対の側端枠１０ｃ，１０ｃの下端部に連結されている。建具枠１０は、建具４の外郭を構成し、第１水平ルーバー６及び第２水平ルーバー７を支持するものである。
【００１９】
上部遮視部８は、例えば１６本の第１水平ルーバー６によって構成され、第１水平ルーバー６の長手方向は水平方向に配置され、上端枠１０ａ及び下端枠１０ｂと平行に配置されている。図２に示されるように、第１水平ルーバー６は幅方向（第１水平ルーバー６の横断面における幅方向）において傾斜して配置され、室内側の端部６ａは上方に配置され、室外側の端部６ｂは下方に配置されている。第１水平ルーバー６の上面６ｃは、室外側へ斜め上方に向く面を成している。
【００２０】
複数の第１水平ルーバー６は、上下方向に所定の間隔で配置され、長手方向の両端部はそれぞれ一対の側端枠１０ｃ，１０ｃに支持されている。上下方向に隣接する第１水平ルーバー６同士の間には例えば２５ｍｍの隙間が形成されている。第１水平ルーバー６の室外側の端部６ｂ同士の間隔ｄ１は２５ｍｍとなっている。上下方向に隣接する第１水平ルーバー６において、上側の第１水平ルーバー６の下端部（室外側の端部６ｂ）は、下側の第１水平ルーバー６の上端部（室内側の端部６ａ）と上下方向において同じ位置に配置されている。第１水平ルーバー６の水平方向に対する傾斜角θ１は、例えば４５度程度である。
【００２１】
下部遮視部９は、例えば２４本の第２水平ルーバー７によって構成され、第２水平ルーバー７の長手方向は水平方向に配置され、上端枠１０ａ及び下端枠１０ｂと平行に配置されている。図３に示されるように、第２水平ルーバー７は、幅方向（第２水平ルーバー７の横断面における幅方向）の中央部を頂点７ａとして、頂点７ａから幅方向の両側の端部（室内側の端部７ｂ，室外側の端部７ｃ）まで下方に傾斜している。第２水平ルーバー７の幅方向において、室外側の部分７ｄの上面は、室外側へ斜め上方に向く面を成し、室内側の部分７ｅの上面は、室内側へ斜め上方に向く面を成している。第２水平ルーバー７の室内側の端部７ｂ及び室外側の端部７ｃは、同じ高さとなるように配置され、端部７ｂ，７ｃが下端部となる。
【００２２】
複数の第２水平ルーバー７は、上下方向に所定の間隔で配置され、長手方向の両端部はそれぞれ一対の側端枠１０ｃ，１０ｃに支持されている。上下方向に隣接する第２水平ルーバー７同士の間には例えば１２ｍｍの隙間が形成されている。第２水平ルーバー７の下端部同士（端部７ｂ同士、又は端部７ｃ同士）の間隔ｄ２は１２ｍｍとなっている。上下方向に隣接する第２水平ルーバー７において、上側の第２水平ルーバー７の下端部７ｂ，７ｃを結ぶ仮想線は、下側の第２の水平ルーバーの上端部（幅方向における中央部、頂点７ａ）と上下方向において同じ位置に配置されている。第２水平ルーバー７の室外側の部分７ｄの水平方向に対する傾斜角θ２は、例えば４５度であり、第２水平ルーバー７の室内側の部分７ｅの水平方向に対する傾斜角θ３は、例えば４５度である。第２水平ルーバー７の頂点７ａにおける室外側の部分７ｄと室内側の部分７ｅとの交差角θ４は、例えば９０度である。
【００２３】
また、上部遮視部８の最下段に配置された第１水平ルーバー６の下端部（室外側の端部６ｂ）は、下部遮視部９の最上段に配置された第２水平ルーバー７の上端部（頂点７ａ）と、同じ高さに配置されている。長手方向に直交する断面において、第２水平ルーバー７の室外側の部分７ｄは、第１水平ルーバー６と平行に傾斜している。
【００２４】
また、下部遮視部９は、下端枠１０ｂから上方に張り出す板状の張出バー２１を有する。張出バー２１の長手方向は水平方向に下端枠１０ｂに沿って配置されている。張出バー２１の長手方向の両端部は、一対の側端枠１０ｃにそれぞれ支持されている。張出バー２１は、最下段の第２水平ルーバー７と下端枠１０ｂとの間の隙間を埋めるように配置されている。張出バー２１の上端２１ａは、最下段の第２水平ルーバー７の下端部と同じ高さ位置に配置されている。
【００２５】
第１水平ルーバー６及び第２水平ルーバー７は、光を透過させる透光性を有する素材（透明素材）によって形成されている。これにより、屋外の光を室内に取り入れることができる。また、第１水平ルーバー６及び第２水平ルーバー７が透明素材によって形成されている場合には、第１の水平ルーバー及び第２の水平ルーバーの表面に凹凸加工を施すことで、入射した光を屈折させてもよい。
【００２６】
第１水平ルーバー６及び第２水平ルーバー７は同じ素材から形成され、例えば、つや消し処理が施されたポリカーボネートによって形成されている。第１水平ルーバー６及び第２水平ルーバー７は、同じ素材から形成されていてもよく、異なる素材から形成されていてもよい。同様に、張出バー２１は、第１水平ルーバー６及び第２水平ルーバー７と同じ素材から形成されていてもよく、異なる素材から形成されていてもよい。
【００２７】
建具４では、上部遮視部８と下部遮視部９との境界Ｌ１は、上下方向における中央よりも下方に配置されている。上部遮視部８は、上下方向において、下部遮視部９よりも広い領域を占めている。上部遮視部８の高さは、例えば４２５ｍｍであり、下部遮視部の高さは、例えば３７５ｍｍである。上部遮視部８と下部遮視部９との境界Ｌ１は、室内床面から例えば１６００ｍｍの位置に配置されている。なお、上部遮視部８と下部遮視部９との境界Ｌ１は、室内床面から例えば１５００ｍｍ〜１７００ｍｍの位置に配置されていることが好ましい。また、建具４が建物１の１階の窓部３に設置されている場合には、上部遮視部８と下部遮視部９との境界Ｌ１は、窓部３の外側の地面から例えば２０００ｍｍ〜２２００ｍｍの位置に配置されていることが好ましい。下部遮視部９の最も高い位置に配置された第２水平ルーバー７の頂点７ａの位置が、上部遮視部８と下部遮視部９との境界Ｌ１となる。
【００２８】
また、建具４は、複数の第１水平ルーバー６同士を連結する連結材１１を備えている。図１に示されるように、連結材１１は、建具４の正面視における幅方向の中央で上下方向に延在して複数の第１水平ルーバー６を連結している。第１水平ルーバー６は特許請求の範囲に記載の水平ルーバーに相当する。図４は、図１中の建具の第１水平ルーバー、第２水平ルーバー及び連結材を示す概略図である。連結材１１は、板状を成し、厚み方向が第１水平ルーバー６の長手方向に一致するように配置されている。連結材１１の幅ｗ１１は、第１水平ルーバー６の幅ｗ６よりも少し広くなっている。連結材１１には複数の切欠き部１２が形成され、これらの切欠き部１２に第１水平ルーバー６がそれぞれ嵌められる。切欠き部１２は、連結材１１の幅方向（建具４の厚みに沿う方向）において、一方の端部（室内側の端部）１１ａから切り込まれ、他方の端部（室外側の端部）１１ｂの近傍まで形成されている。連結材１１は、建具４に対して室外側から差し込まれて装着される。
【００２９】
図５は、連結材の下端部を拡大して示す側面図である。切欠き部１２は、第１水平ルーバー６の外形に対応し、側方から見た場合に、一方の端部１１ａから斜め下方に延びている。切欠き部１２は、第１水平ルーバー６の厚さに対応する幅ｗ１２を有し、第１水平ルーバー６の幅方向の長さに対応する長さ（深さ）Ｌ１２を有する。連結材１１を第１水平ルーバー６に装着した状態において、切欠き部１２の上側の縁１２ａは、第１水平ルーバー６の上面に当接し、切欠き部１２の下側の縁１２ｂは、第１水平ルーバー６の下面に当接している。連結材１１は、第１水平ルーバー６に対して例えば接着剤を用いて接着されている。
【００３０】
また、連結材１１の下端部１１ｃは、下部遮視部９の最上段の第２水平ルーバー７の室外側の部分７ｄの傾斜面に対応するように傾斜している。連結材１１を第１水平ルーバー６に装着した状態において、連結材１１の下端部１１ｃは下部遮視部９の最上段の第２水平ルーバー７の室外側の部分７ｄの傾斜面と当接している。第２水平ルーバー７は、断面がへ字状に形成され、第１水平ルーバー６よりも剛性が高く、連結材１１を下方から支持することができる。下部遮視部９の最上段の第２水平ルーバー７は特許請求の範囲に記載の高剛性ルーバーに相当する。連結材１１は、水平ルーバー６，７と同じ素材から形成されたものでもよく、異なる素材から形成されたものでもよい。
【００３１】
また、連結材１１を第１水平ルーバー６に対して装着した状態において、連結材１１の上端部１１ｄは、上端枠１０ａの下面に当接している。
【００３２】
次に建具４の設置構造について説明する。
窓部３は、窓（窓ガラス及びサッシ）と建具４との間に２枚引き違い形式の障子（不図示）を備えている。障子は、窓部３の開口部５（図２及び図３参照）に配置されている。
【００３３】
図２に示されるように、建具４は、外周壁２の室内側の壁面２ａに固定された支持部材１３から吊り下げられ、窓部３の正面視における幅方向に移動可能に支持されている。支持部材１３は、窓部３の幅寸法に対応する長さを有し開口部５の上端に沿って配置され、Ｌ字型の取付金物１４を介して壁面２ａに固定されている。支持部材１３の底面１３ａには、長手方向に連続する溝部１３ｂが形成され、溝部１３ｂ内にガイドレール１５が配置されている。
【００３４】
ガイドレール１５は、支持部材１３の長手方向に沿って配置され、窓部３の幅寸法に対応した長さを有する。ガイドレール１５は、支持部材１３に固定された天板１５ａと、天板１５ａの幅方向（ガイドレール１５の横断面における幅方向）の両側から下方に屈曲された一対の側板１５ｂと、一対の側板１５ｂの下端から内側に屈曲された一対の底板１５ｃと、一対の底板１５ｃの内側の端部から斜め上方に屈曲された一対の屈曲片１５ｄとを有する。一対の屈曲片１５ｄは、ガイドレール１５の幅方向において離間し、屈曲片１５ｄ間の隙間は、ガイドレール１５の長手方向において連続している。ガイドレール１５の天板１５ａは、支持部材１３の溝部１３ｂの底（下方に向く面）にネジ止めされている。
【００３５】
建具４の上端には、ガイドレール１５に沿って移動する複数のローラー１６が設けられている。建具４の上端枠１０ａには、上端枠１０ａの長手方向に所定の間隔で配置された複数の固定ピン（支持具）１７が設置されている。固定ピン１７は、上端枠１０ａから上方に延在し、固定ピン１７の上端部には、ローラー１６を回転可能に支持する回転軸１８が設けられている。
【００３６】
固定ピン１７の上端部はガイドレール１５内に挿入され、回転軸１８はガイドレール１５の幅方向の両側に突出し、一対のローラー１６を支持している。一対のローラー１６は、ガイドレール１５の幅方向の両側に配置された屈曲片１５ｄ上を回転移動する。
【００３７】
図３に示されるように、建具４の下端部は、振れ止め金具１９によって拘束され、室内側へ移動しないように構成されている。振れ止め金具１９は、開口部５より下方の外周壁２の室内側の壁面２ａに固定されている。振れ止め金具１９は、窓部３の正面視における幅方向の中央の１箇所に配置されている。
【００３８】
振れ止め金具１９は、壁面２ａに固定される固定片１９ａと、固定片１９ａの上端から室内側へ屈曲された連結片１９ｂと、連結片１９ｂの室内側の端部から上方へ屈曲されたガイド片１９ｃとを有する。連結片１９ｂは、壁面２ａから室内側へ突出し、建具４の厚み方向の中央まで延びている。ガイド片１９ｃは、連結片１９ｂから上方へ張り出し、建具４の移動方向に所定の長さを有する。
【００３９】
建具４の下端枠１０ｂの底面には、ガイド片１９ｃが挿入されるガイド溝２０が形成されている。ガイド溝２０は、下端枠１０ｂの全長にわたり形成され、ガイド溝２０の幅は、ガイド片１９ｃの厚みに対応している。ガイド溝２０は、下端枠１０ｂの横断面における幅方向の中央に形成されている。下端枠１０ｂの室内側の部分１０ｄは、下方へ張り出し、振れ止め金具１９を室内側から覆っている。下端枠１０ｂの室外側の部分１０ｅは、振れ止め金具１９の連結片１９ｂの上方に配置されている。下端枠１０ｂの室内側の部分１０ｄは、室外側の部分１０ｅよりも下方に張り出し、振れ止め金具１９の下端と対応する位置まで配置されている。振れ止め金具１９のガイド片１９ｃは、ガイド溝２０内に挿入されて、建具４の厚み方向の位置を拘束し、建具４の下端部が室内側へ移動することを防止する。例えば、室外から流入する風によって、建具４が室内側に押されても、建具４の下端部が振れ止め金具１９によって拘束されているので、建具４が室内側に移動することが防止される。
【００４０】
次にこのように構成された連結材１１を有する建具４の作用について説明する。
建具４は、窓部３の片方の窓の大きさに対応しているので、窓部３を全開にした場合において、窓部３の開口を覆うことができる。窓部３の建具４が配置されていない部分については、カーテンを広げることによって、室外からの人の視線を遮ることができる。
【００４１】
建具４の上部側には上部遮視部８が設けられ、板状の第１水平ルーバー６が一定の間隔ｄ１で配置されているので、建物１の外部から窓部３の開口を通過した空気は、第１水平ルーバー６間の隙間を通って建具４を通過し室内に流入する。窓部３の開口を通過した空気は、第１水平ルーバー６に沿って斜め上方に流れて、上部遮視部８を通過して室内に流入する。また、室内の空気を建物１の外部に流出させる場合には、室内の空気は第１水平ルーバー６間の隙間を通って建具４を通過し、窓部３の開口を通り抜けて建物１の外部に流出する。室内の空気は、第１水平ルーバー６に沿って斜め下方に流れて、上部遮視部８を通過して室外に流出する。このようにして、建物１の通風が確保される。
【００４２】
建具４の下部側には下部遮視部９が設けられ、へ字状の第２水平ルーバー７が一定の間隔ｄ２で配置されている。建物１の外部から窓部３の開口を通過した空気は、上部遮視部８と比較すると流量は少ないものの第２水平ルーバー７の隙間を通り室内に流入する。また、室内の空気は、上部遮視部８と比較して流量は少ないものの第２の水平ルーバー７の隙間を通り、窓部３の開口を通って建物１の外部に流出する。
【００４３】
また、建物１の外部の人が建具４の下部側に視線を向けた場合には、へ字状の第２水平ルーバー７によって視線を遮ることができる。建物１の外部から下部遮視部９を見下ろした場合には、第２水平ルーバー７の室外側の部分７ｄによって視線を遮ることになる。また、上下に隣接する第２水平ルーバー７において、上に配置された第２水平ルーバー７の下端部７ｂ，７ｃと下に配置された第２水平ルーバー７の頂点７ａとが同じ高さに配置されているので、下部遮視部９は建物１の外部から水平方向に向けられた視線を遮ることができる。
【００４４】
さらに、建物１の外部から下部遮視部９を見上げた場合には、斜め上方への視線は第２水平ルーバー７の室外側の部分７ｄ間の隙間を通過するが、この隙間を通過した視線は第２水平ルーバー７の室内側の部分７ｅによって遮られる。このようにして、下部遮視部９によって、外部からの視線を全ての角度において遮ることができる。第２水平ルーバー７は、透明な素材で形成されているが、つや消し処理が施され、室内の物体の輪郭がぼやけて見えるので室内の物の形を明確に認識することができないので、室内のプライバシーを保護することができる。
【００４５】
また、建物１の外部の人が建具４の上部側に視線を向けた場合には、第１水平ルーバー６によって視線を遮ることができる。建物１の外部から下部遮視部９を見下ろした場合には、第１水平ルーバーによって視線を遮ることになる。また、上下に隣接する第１水平ルーバー６において、上に配置された第１水平ルーバー６の下端部（室外側の端部６ｂ）と下に配置された第１水平ルーバー６の上端部（室内側の端部６ａ）とが同じ高さに配置されているので、上部遮視部８は建物１の外部から水平方向に向けられた視線を遮ることができる。
【００４６】
建物１の外部から上部遮視部８を見上げた場合には、斜め上方への視線は第１水平ルーバー６間の隙間を通過するが、この隙間を通過した視線は、室内の天井に向かうことになる。そのため、室内の床面や、室内に存在する人物の下部側を外部の人が視認することは不可能であるため、室内のプライバシーを保護することができる。
【００４７】
また、建具４では、第１水平ルーバー６の長手方向の両端部は建具枠１０に対して固定され、第１水平ルーバー６の長手方向の中間部には、上下方向に延在して複数の第１水平ルーバー６を連結する連結材１１が取り付けられているので、複数の第１水平ルーバー６の中央部を支持して第１水平ルーバー６の撓みを抑制することができる。また、連結材１１の上下方向に延在する室内側の端部１１ａには、複数の第１水平ルーバー６をそれぞれ受容する複数の切欠き部１２が形成されているので、既設の第１水平ルーバー６に対して連結材１１を差し込むことができ、切欠き部１２に第１水平ルーバー６をそれぞれ嵌めることができる。既存の第１水平ルーバー６を加工せずに、連結材１１を差し込むだけで複数の第１水平ルーバー６を連結して支持することができる。
【００４８】
また、連結材１１では切欠き部１２の上側の縁１２ａ及び下側の縁１２ｂが第１水平ルーバー６の傾斜に対応して傾斜しているので、連結材１１を複数の第１水平ルーバー６に装着する際には、第１水平ルーバー６の傾斜に沿って差し込むだけでよいので、容易に後設置することができる。また、切欠き部１２の上側の縁１２ａが第１水平ルーバー６の上面に当接し、切欠き部１２の下側の縁１２ｂが第１水平ルーバー６の下面に当接するので、連結材１１によって板状の第１水平ルーバー６を確実に拘束し、第１水平ルーバー６の中間部における撓みを抑制することができる。そのため、第１水平ルーバー６の厚さを薄くしつつ第１水平ルーバー６の長さを長くすると共に、第１水平ルーバー６の撓みを抑制することができる。
【００４９】
また、複数の第１水平ルーバー６の下方には、複数の第１水平ルーバー６よりも剛性が高い第２水平ルーバー７が配置され、連結材１１の下端部１１ｃは第２水平ルーバー７によって下方から支持されている。連結材１１の下端部１１ｃを第１水平ルーバー６の下方に配置された第２水平ルーバー７によって支持することができるので、連結材１１を支持するための他の部材を設ける必要がない。
【００５０】
連結材１１は、板状を成し、複数の第１水平ルーバー６及び第２水平ルーバー７と同一の素材によって形成され、連結材１１の厚み方向は、第１水平ルーバー６の長手方向に沿って配置されている。これにより、連結材１１を目立たないようにすることができ、建具４の意匠性が損なわれることを防止することができる。また、板状の第１水平ルーバー６の厚み方向が、第１水平ルーバー６の長手方向に沿って配置されているので、建具４の正面側から見た場合に、窓部３に対して連結材１１が占める面積を抑制することができ、空気が通過できる面積の減少を抑えて通風性能の低下を防止することができる。
【００５１】
建具４によれば、連結材１１によって第１水平ルーバー６の撓みを抑制して、上下に隣接する第１水平ルーバー６同士の間隔を適切に維持することで、上部遮視部８における目隠し機能及び通風機能を両立させることができる。
【００５２】
次に、図６を参照して、第２実施形態に係る水平ルーバーの支持構造について説明する。具体的には、第１変形例に係る連結材３１を用いて、第１水平ルーバー６及び第２水平ルーバー７を支持する場合について説明する。図６に示される連結材３１は、上部遮視部８及び下部遮視部９に装着される点で、上部遮視部８に装着される上記の連結材１１と異なっている。第２実施形態では、第１水平ルーバー６及び第２水平ルーバー７が、特許請求の範囲に記載の水平ルーバーに相当する。
【００５３】
連結材３１は、建具４の正面視における幅方向の中央で上下方向に延在して複数の第１水平ルーバー６及び第２水平ルーバー７を連結する。連結材３１は、板状を成し、厚み方向が第１水平ルーバー６及び第２水平ルーバー７の長手方向に一致するように配置されている。連結材３１の幅ｗ３１は、第２水平ルーバー７の室外側の部分７ｄの幅ｗ７ｄよりも少し広くなっている。連結材３１には複数の切欠き部３２，３３が形成され、切欠き部３２に第１水平ルーバー６が嵌められ、切欠き部３３に第２水平ルーバー７が嵌められる。
【００５４】
切欠き部３２，３３は、連結材３１の幅方向において、一方の端部（室内側の端部）３１ａから切り込まれ、他方の端部（室外側の端部）３１ｂの近傍まで形成されている。連結材３１は、建具４に対して室外側から差し込まれて装着される。切欠き部３２は、第１水平ルーバー６の配置に対応し、連結材３１の上部側に配置され、切欠き部３３は、第２水平ルーバー７の配置に対応し、連結材３１の下部側に配置されている。
【００５５】
切欠き部３２は、第１水平ルーバー６の室外側の部分の外形に対応し、側方から見た場合に、一方の端部３１ａから斜め下方に延びている。切欠き部３２は、第１水平ルーバー６の厚さに対応する幅を有し、第１水平ルーバー６の幅方向の長さの半分に対応する長さ（深さ）を有する。
【００５６】
切欠き部３３は、第２水平ルーバー７の室外側の部分７ｄの外形に対応し、側方から見た場合に、一方の端部３１ａから斜め下方に延びている。切欠き部３３は、第２水平ルーバー７の厚さに対応する幅を有し、第２水平ルーバー７の室外側の部分７ｄの幅方向の長さに対応する長さ（深さ）を有する。
【００５７】
連結材３１を第１水平ルーバー６及び第２水平ルーバー７に装着した状態において、切欠き部３２の上側の縁は第１水平ルーバー６の室外側の部分の上面に当接し、切欠き部３２の下側の縁は第１水平ルーバー６の室外側の部分の下面に当接し、切欠き部３３の上側の縁は第２水平ルーバー７の室外側の部分７ｄの上面に当接し、切欠き部３３の下側の縁は第２水平ルーバー７の室外側の部分７ｄの下面に当接している。
【００５８】
また、連結材３１の下端部３１ｃは、室内側が上方に配置され室外側が下方に配置されて傾斜している。連結材３１を第１水平ルーバー６及び第２水平ルーバー７に対して装着した状態において、連結材３１の上端部３１ｄは、上端枠１０ａの下面に当接している。
【００５９】
このような連結材３１を備えた建具によれば、複数の第１水平ルーバー６の荷重を、複数の第２水平ルーバー７によって受けることができ、複数の第１水平ルーバー６の荷重を複数の第２水平ルーバー７に分散させて支持することができる。また、連結材３１によれば、最上段の第１水平ルーバー６から最下段の第２水平ルーバー７まで、全ての第１水平ルーバー６及び第２水平ルーバー７を一体として連結して支持することができる。連結材３１によれば、第１水平ルーバー６同士の間隔だけでなく、第２水平ルーバー７同士の間隔を好適に維持することができるので、通風機能及び目隠し機能を好適に維持することができる。
【００６０】
次に、図７を参照して、第３実施形態に係る水平ルーバーの支持構造について説明する。具体的には、第２変形例に係る連結材４１，５１を用いて、第１水平ルーバー６及び第２水平ルーバー７を支持する場合について説明する。図７に示される連結材４１，５１は、室内側から上部遮視部８又は下部遮視部９に装着される点で、室外側から上部遮視部８に装着される上記の連結材１１と異なっている。
【００６１】
連結材４１は、建具４の幅方向の中央で上下方向に延在して複数の第１水平ルーバー６を連結し、連結材５１は、建具４の幅方向の中央で上下方向に延在して複数の第２水平ルーバー７を連結する。連結材４１，５１は、板状を成し、厚み方向が第１水平ルーバー６及び第２水平ルーバー７の長手方向に一致するように配置されている。
【００６２】
連結材４１の幅ｗ４１は、第１水平ルーバー６の室内側の部分の幅よりも少し広くなっている。連結材４１には複数の切欠き部４２が形成され、切欠き部４２に第１水平ルーバー６が嵌められる。
【００６３】
切欠き部４２は、連結材４１の幅方向（側面視）において、一方の端部（室外側の端部）４１ａから切り込まれ、他方の端部（室内側の端部）４１ｂの近傍まで形成されている。連結材４１は、建具４に対して室内側から差し込まれて装着される。切欠き部４２は、第１水平ルーバー６の配置に対応している。
【００６４】
切欠き部４２は、第１水平ルーバー６の室内側の部分の外形に対応し、側方から見た場合に、一方の端部４１ａから斜め上方に延びている。切欠き部４２は、第１水平ルーバー６の厚さに対応する幅を有し、第１水平ルーバー６の幅方向（第１水平ルーバー６の横断面における幅方向）の長さの半分に対応する長さ（深さ）を有する。
【００６５】
連結材５１の幅ｗ５１は、第２水平ルーバー７の室内側の部分７ｅの幅ｗ７ｅよりも少し広くなっている。連結材５１には複数の切欠き部５２が形成され、切欠き部５２に第２水平ルーバー７が嵌められる。
【００６６】
切欠き部５２は、連結材５１の幅方向（側面視）において、一方の端部（室外側の端部）５１ａから切り込まれ、他方の端部（室内側の端部）５１ｂの近傍まで形成されている。連結材５１は、建具４に対して室内側から差し込まれて装着される。切欠き部５２は、第２水平ルーバー７の配置に対応している。
【００６７】
切欠き部５２は、第２水平ルーバー７の室内側の部分７ｅの外形に対応し、側方から見た場合に、一方の端部５１ａから斜め下方に延びている。切欠き部５２は、第２水平ルーバー７の厚さに対応する幅を有し、第２水平ルーバー７の室内側の部分７ｅの幅方向（第２水平ルーバー７の横断面における幅方向）の長さに対応する長さ（深さ）を有する。
【００６８】
連結材４１を第１水平ルーバー６に装着した状態において、切欠き部４２の上側の縁は第１水平ルーバー６の室内側の部分の上面に当接し、切欠き部４２の下側の縁は第１水平ルーバー６の室内側の部分の下面に当接している。連結材５１を第２水平ルーバー７に装着した状態において、切欠き部５２の上側の縁は第２水平ルーバー７の室内側の部分７ｅの上面に当接し、切欠き部５２の下側の縁は第２水平ルーバー７の室内側の部分７ｅの下面に当接している。
【００６９】
また、連結材４１の下端部４１ｃは、室内側が上方に配置され室外側が下方に配置されて傾斜している。連結材４１の上端部４１ｄは、室内側が上方に配置され室外側が下方に配置され、最上段の第１水平ルーバー６の下面に対応して傾斜している。連結材４１を第１水平ルーバー６に対して装着した状態において、連結材４１の上端部４１ｄは、最上段の第１水平ルーバー６の下面に当接している。
【００７０】
また、連結材５１の下端部５１ｃは、室外側が上方に配置され室内が下方に配置されて傾斜している。連結材５１の上端部５１ｄは、室内側が上方に配置され室外側が下方に配置、最下段の第１水平ルーバー６の下面に対応して傾斜している。連結材５１を第２水平ルーバー７に対して装着した状態において、連結材５１の上端部５１ｄは、最下段の第１水平ルーバー６の下面に当接している。
【００７１】
このような連結材４１，５１を備えた建具によれば、連結材４１によって複数の第１水平ルーバー６を連結し、連結材５１によって複数の第２水平ルーバー７を連結することができる。連結材５１の上端部５１ｄは、最下段の第１水平ルーバー６の下面に当接しているので、最下段の第１水平ルーバー６を下方から支持することができる。連結材４１は、複数の第１水平ルーバー６の間隔を維持することができ、連結材４１に伝達された荷重は、最下段の第１水平ルーバー６を介して、連結材５１及び複数の第２水平ルーバー７に伝達される。これにより、複数の第１水平ルーバー６の撓みを抑制することができる。また、連結材４１の上端部４１ｄは、最上段の第１水平ルーバー６の下面に当接しているので、最上段の第１水平ルーバー６の撓みを抑制することができる。
【００７２】
このように、連結材４１，５１によれば、最上段の第１水平ルーバー６から最下段の第２水平ルーバー７まで、全ての第１水平ルーバー６及び第２水平ルーバー７を一体として連結して支持することができる。連結材４１，５１によれば、第１水平ルーバー６同士の間隔及び第２水平ルーバー７同士の間隔を好適に維持することができるので、通風機能及び目隠し機能を好適に維持することができる。複数に分割された連結材４１，５１によって、第１水平ルーバー６及び第２水平ルーバー７の撓みを防止することができる。
【００７３】
本発明は、前述した実施形態に限定されず、本発明の要旨を逸脱しない範囲で下記のような種々の変形が可能である。
【００７４】
上記実施形態では、建具４において、異なる断面形状の第１水平ルーバー６及び第２水平ルーバー７を備えているが、第１水平ルーバー６のみを備える建具でもよく、第２水平ルーバー７のみを備える建具でもよい。本発明の水平ルーバーの支持構造は、上下方向に延在する連結材によって、複数の水平ルーバーの中間部を支持すればよい。
【００７５】
また、第１の水平ルーバーの傾斜角と、第２水平ルーバーの傾斜角とを異なる角度にしてもよい。例えば、同一形状の第１の水平ルーバー及び第２の水平ルーバーを用いて、第１の水平ルーバーの傾斜角を第２の水平ルーバーの傾斜角よりも緩くしてもよい。連結材は、水平ルーバーの幅方向の端部のみを下方から支持するものでもよい。
【００７６】
また、薄板状の水平ルーバーは、厚み方向に直交する面が平坦であるものに限定されず、例えば緩やかに湾曲するものでもよい。へ字状の水平ルーバーは、厚み方向に直交する面が平坦であるものに限定されず、例えば緩やかに湾曲するものでもよい。また、第２水平ルーバーは、中央部で屈曲された形状に限定されず、長手方向に直交する断面が例えば円弧状に湾曲するものでもよい。また、第２水平ルーバーは、横断面における幅方向の中央部からずれた位置で、屈曲されているものでもよい。室外側の部分７ｄと室内側の部分７ｅの長さが幅方向において異なるものでもよい。例えば、室外側の部分７ｄは、室内側の部分７ｅよりも幅方向において長いものでもよい。
【００７７】
また、上記の実施形態では、第２水平ルーバー７の頂点７ａにおける室外側の部分７ｄと室内側の部分７ｅとの交差角θ４を９０度としているが、交差角θ４はその他の角度でもよく、９０度以上でもよく、９０度以下でもよい。
【００７８】
連結材１１は、第１水平ルーバー６及び第２水平ルーバー７の長手方向の中央に配置されたものに限定されず、中央からずれた位置に配置されていてもよい。また、第１水平ルーバー６及び第２水平ルーバー７の長手方向において、複数の連結材１１を備えるものでもよい。また、室内側及び室外側の両方から第１水平ルーバー６又は第２水平ルーバー７を挟んで支持する連結材としてもよい。また、連結材１１は、鉛直方向に延在するものに限定されず、鉛直方向に対して傾斜して配置されているものでもよい。
【００７９】
また、連結材１１は板状のものに限定されず、例えば角柱状（棒状）のものでもよく、その他も形状のものでもよい。連結材が板状であると、連結材の軽量化を図ることができる。
【００８０】
また、水平ルーバーの支持構造は、連結材１１の下端部１１ｃを支持するものに限定されず、例えば、建具枠１０に対して連結材１１の上端部１１ｄのみを固定するものでもよい。また、連結材の上下方向における中間部を建具枠１０に対して固定してもよい。例えば、水平方向に延在する他の支持部材を用いて、連結材１１を建具枠１０の側端枠１０ｃに連結してもよい。
【００８１】
また、連結材は、既存の水平ルーバーに対して後設置するものでもよく、新品の水平ルーバーに対して連結材を取り付けてもよい。
【００８２】
第１水平ルーバー６及び第２水平ルーバー７の長手方向の両端部は、一対の側端枠１０ｃに対して、接着によって固定されているものでもよく、ねじ止めされているものでもよく、その他の方法によって支持されているもでもよい。また、一対の側端枠１０ｃに設けられた凹部に、第１水平ルーバー６及び第２水平ルーバー７の長手方向の端部を嵌めることで支持するものでもよい。
【００８３】
上記実施形態では、建物１を工業化住宅として説明しているが、例えば店舗、事務所、工場、倉庫、病院などその他の建物の窓部に建具４を適用することができる。
【００８４】
上記実施形態では、住宅の１階の窓部３に対して建具４を適用しているが、２階や３階など、その他の階の窓部に対して建具４を適用してもよい。
【００８５】
上記実施形態では、建具４は窓部３に対して室内側に配置されているが、建具４は窓部３に対して室外側に配置されていてもよい。
【００８６】
上記実施形態では、建具４は、窓部３の幅方向に対してスライド自在に支持されているが、建具４は、例えば上下方向に移動可能に支持されているものでもよく、建具４の一端側が支持されて揺動するものでもよい。建具４は、例えば外周壁２に固定されて移動しないものでもよい。
【００８７】
上記実施形態では、建具４は、建物１の外周壁２に設けられた窓部３に対して配置されているが、建具４は、例えば建物内の壁に設けられた窓部に対して配置されるものでもよい。例えば、建物内の各部屋を区切る間仕切り壁に設けられた窓部に対して建具を適用してもよい。例えばビルなどの建物内において、部屋と通路とを区切る壁に設けられた窓部に対して建具を適用することもできる。
【００８８】
窓部３は、２枚引き違い形式の窓に限定されず、その他の種類の窓でもよい。例えば、片引き窓、両袖片引き窓、出窓、上げ下げ窓、外開き窓、内倒し窓、滑り出し窓、折りたたみ窓などその他の窓に、建具を適用することができる。また、建具の形状は、矩形状のものに限定されず、窓の外形に合わせて、例えば円形のものでもよい。
【００８９】
また、上記実施形態では、建具４の下端枠１０ｂにガイド溝２０が設けられ、窓部３の下方の室内側の壁面２ａから張り出す振れ止め金具１９によって、建具４の下端部の位置を拘束しているが、建具４の下端枠１０ｂの壁面２ａとは反対側の面にガイド片１９ｃを係合させることで建具４の下端部の位置を拘束してもよい。また、建具４の下端枠１０ｂの底面にローラーを設け、室内床面や建具４の下方に配置されたレールに沿って移動させる構成としてもよい。
【００９０】
また、建具４の上端部は、天井に設けられたレールに沿って移動可能に支持されるものでもよい。
【００９１】
上記の建具の設置構造では、窓部３は障子を備える構成としているが、窓部３は障子を備えていないものでもよい。また、障子は２枚引き違い形式のものに限定されず、その他の形式の障子でもよい。
【００９２】
上記の建具の設置構造では、１枚の建具４を備える構成としているが、窓部３に対して、複数枚の建具を設置してもよい。
【符号の説明】
【００９３】
１…建物、２…外周壁、２ａ…室内側の壁面、３…窓部、４…建具、６…第１水平ルーバー、６ａ…室内側の端部、６ｂ…室外側の端部、７…第２水平ルーバー、７ａ…頂点、７ｂ…室内側の端部、７ｃ…室外側の端部、８…上部遮視部、９…下部遮視部、１０…建具枠、１０ａ…上端枠（建具の上端部）、１０ｂ…下端枠（建具の下端部）、１１，３１，４１，５１…連結材、１１ａ，３１ａ…室内側の端部（一方の端部）、１１ｃ…下端部、１２，３２，３３…切欠き部、１２ａ…上側の縁、１２ｂ…下側の縁、１５…ガイドレール、１６…ローラー、１７…固定ピン（支持具）、１９…振れ止め金具、１９ｃ…ガイド片、２０…ガイド溝、４１ａ，５１ａ…室外側の端部（一方の端部）、Ｌ１…上部遮視部と下部遮視部との境界。
【図１】
2015055463.tif 000003
【図２】
2015055463.tif 000004
【図３】
2015055463.tif 000005
【図４】
2015055463.tif 000006
【図５】
2015055463.tif 000007
【図６】
2015055463.tif 000008
【図７】
2015055463.tif 000009